(57)【要約】【課題】位置情報端末からの緊急通報の内容をより明確にわかりやすくする。【解決手段】情報端末装置に登録されている位置情報端末を持って家人が外に出る（Ｓ１）。その人が位置情報端末の緊急コールボタンを押下すると（Ｓ２）、その緊急情報が情報処理サーバ装置に送信される（Ｓ３）。情報処理サーバ装置ではその位置情報端末の固有情報とともに緊急情報として、情報端末装置に送信する(Ｓ４)。情報端末装置ではその緊急情報を受信した(Ｓ５)後、情報端末装置の画面上に異常報知画面等を表示することができる（Ｓ６）。この時の画面の表示はどの位置情報端末がいつ緊急コールボタンを押されたかを明示する。さらにこの画面からその位置情報端末が現在どこの位置に存在しているかの情報を示す。【選択図】図３
2007072826.tif 000002
【特許請求の範囲】
【請求項１】
携帯している人の位置を特定する位置情報端末と、前記位置情報端末との間で前記位置情報端末が保持している情報を送受信する情報処理サーバ装置と、前記位置情報端末から受信した固有の情報に基づいて動作を行う情報処理部を備えた情報端末装置とからなり、
前記位置情報端末から固有の情報が送信されると、前記情報処理サーバ装置を介して前記情報端末装置に送信され、前記情報端末装置の画面上に前記位置情報端末の固有の情報である所持者の登録氏名と現在位置等を表示する情報システム。
【請求項２】
携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなり、
前記位置情報端末から固有の情報が送信されると、前記情報処理サーバ装置を介して前記情報端末装置に送信され、前記情報端末装置の画面上に前記位置情報端末の固有の情報である所持者の登録氏名や現在位置等を表示し、前記情報端末装置から警報音を発する情報システム。
【請求項３】
携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなり、
前記位置情報端末から固有の情報が送信されると、前記情報処理サーバ装置を介して前記情報端末装置に送信され、前記情報端末装置の画面上に前記位置情報端末の固有の情報である所持者の登録氏名や現在位置等を表示し、前記情報端末装置から指定された外部通信装置に電話発呼を行い、前記位置情報端末の固有の情報を音声で出力する情報システム。
【請求項４】
携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなり、
前記位置情報端末から固有の情報が送信されると、前記情報処理サーバ装置を介して前記情報端末装置に送信され、前記情報端末装置の画面上に前記位置情報端末の固有の情報である所持者の登録氏名や現在位置等表示し、前記情報端末装置から指定された外部通信装置に電話発呼を行い、前記情報端末装置の画面の表示を閉じると前記電話発呼を停止することを特徴とする情報システム。
【請求項５】
携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなり、
前記位置情報端末の電源が切られると、前記位置情報端末から固有の情報が前記情報処理サーバ装置を介して前記情報端末装置に送信され、前記情報端末装置の画面上に前記位置情報端末の固有の情報である所持者の登録氏名や現在位置等を表示し、前記情報端末装置から警報音を発することを特徴とする情報システム。
【請求項６】
携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなる情報システムの制御方法において、
前記位置情報端末から固有の情報を送信するステップと、
前記位置情報端末からの情報が前記情報処理サーバ装置を介して前記情報端末装置に送信されるステップと、
前記情報端末装置の画面上に前記位置情報端末の固有の情報である所持者の登録氏名や現
在位置等を表示するステップとを備えてなる制御方法。
【請求項７】
携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなる情報システムの制御方法において、
前記位置情報端末から固有の情報を送信するステップと、
前記位置情報端末からの情報が前記情報処理サーバ装置を介して前記情報端末装置に送信されるステップと、
前記情報端末装置の画面上に前記位置情報端末の固有の情報である所持者の登録氏名や現在位置等を表示するステップと、
前記情報端末装置から警報音を発するステップとを備えてなる制御方法。
【請求項８】
携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなる情報システムの制御方法において、
前記位置情報端末から固有の情報を送信するステップと、
前記位置情報端末からの情報が前記情報処理サーバ装置を介して前記情報端末装置に送信されるステップと、
前記情報端末装置の画面上に前記位置情報端末の固有の情報である所持者の登録氏名や現在位置等を表示するステップと、
前記情報端末装置から指定された外部通信装置に電話発呼を行い、前記位置情報端末の固有の情報を音声で出力するステップとを備えてなる制御方法。
【請求項９】
携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなる情報システムの制御方法において、
前記位置情報端末から固有の情報を送信するステップと、
前記位置情報端末からの情報が前記情報処理サーバ装置を介して前記情報端末装置に送信されるステップと、
前記情報端末装置の画面上に前記位置情報端末の固有の情報である所持者の登録氏名や現在位置等を表示するステップと、
前記情報端末装置から指定された外部通信装置に電話発呼を行うステップと、
前記情報端末装置の画面の表示を閉じると前記電話発呼を停止するステップとを備えてなる制御方法。
【請求項１０】
携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなる情報システムの制御方法において、
前記位置情報端末の電源が切られるステップと、
前記位置情報端末から固有の情報が前記情報処理サーバ装置を介して前記情報端末装置に送信されるステップと、
前記情報端末装置の画面上に前記位置情報端末の固有の情報である所持者の登録氏名や現在位置等を表示するステップと、
前記情報端末装置から警報音を発するステップとを備えてなる制御方法。
【請求項１１】
請求項１〜５のいずれか１項記載の情報システムの少なくとも一部をコンピュータに実行
させるためのプログラム。
【発明の詳細な説明】
【技術分野】
【０００１】
本発明は、位置情報端末において緊急コールを要請した時に、情報端末装置に表示したり外部通信装置に電話発呼することに関する情報システム、制御方法およびそのプログラムに関するものである。
【背景技術】
【０００２】
従来、位置情報端末装置はそれを所持している人の位置を端末装置上に表示するものであった。また、近年ではその位置情報端末装置に緊急コールボタンを取り付け、緊急コールボタンを押下することによって、登録先の電話番号に電話をかけることができるものである。
【０００３】
また、位置情報端末装置が主端末に対してある一定の距離以上になると、異常情報を送信することができるものもある（例えば、特許文献１参照）。これによって位置情報端末装置を保持した人体がある距離以上離れて危険な状態になると、管理センターに異常情報を送信し、他者に知らせることができるものである。
【０００４】
また、位置情報端末装置を所持している人に異常状態が発生した時、異常情報を位置情報サービスセンターに自動ダイアル発信するものがある（例えば、特許文献２参照）。これによって位置情報端末装置を所持している人が緊急コールを要請した時、異常情報をセンターに送信することができ、センターから登録電話番号に電話をかけることによって、他者に知らせることができるものである。すなわち、位置情報端末装置で緊急コールを要請した場合、その情報を登録者に送信することができものである。
【特許文献１】特開２０００−７６５７４号公報
【特許文献２】特開２００１−１４８０８４号公報
【発明の開示】
【発明が解決しようとする課題】
【０００５】
しかしながら、前記従来の構成では、緊急コールボタンを押下して登録先の電話番号に電話をかけたとしても、電話を受けた側はその電話がどこからかかっているかがすぐにわからないという欠点がある。従って、電話を受けた人物は、その電話の主の位置を検索するために位置情報サービスで探さなければならないという課題がある。
【０００６】
また、緊急コールボタンの電池が切れた時に、ボタンを押下しても情報が送信されない欠点がある。
【０００７】
本発明は、このような課題を解決するために、携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなり、前記位置情報端末から固有の情報が送信されると、前記情報処理サーバ装置を介して前記情報端末装置に送信され、前記情報端末装置の画面上に前記位置情報端末の固有の情報である所持者の登録氏名や現在位置等を表示し、前記情報端末装置から警報音を発することによって、異常状態検出時の位置情報端末上の表示に対する利便性、正確性、信頼性を高めるようにしたものである。
【０００８】
このようにすることによって、情報端末装置が位置情報端末から緊急コール要請を受けた時に、情報端末装置の画面上に位置情報端末の固有の情報を表示した異常報知画面を表
示し、警報音を鳴らすので、誰がどのようなことで連絡をしてきたかを家人はすぐに認識することができる。
【課題を解決するための手段】
【０００９】
前記従来の課題を解決するために、本発明の情報システムは、携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなり、前記位置情報端末から固有の情報が送信されると、前記情報処理サーバ装置を介して前記情報端末装置に送信され、前記情報端末装置の画面上に前記位置情報端末の固有の情報である所持者の登録氏名や現在位置等を表示し、前記情報端末装置から警報音を発することを特徴とする情報システムを提供するものである。
【００１０】
また、本発明の制御方法は、携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなる情報システムの制御方法において、前記位置情報端末から固有の情報を送信するステップと、前記位置情報端末からの情報が前記情報処理サーバ装置を介して前記情報端末装置に送信されるステップと、前記情報端末装置の画面上に前記位置情報端末の固有の情報である所持者の登録氏名や現在位置等を表示するステップと、前記情報端末装置から警報音を発するステップとを備えてなる制御方法を提供するものである。
【００１１】
すなわち、本発明は、情報端末装置が位置情報端末から緊急コール要請を受けた時に、情報端末装置の画面上に位置情報端末の固有の情報を表示した異常報知画面を表示し、警報音を鳴らすので、誰がどのようなことで連絡をしてきたかを家人はすぐに認識することができる。
【発明の効果】
【００１２】
以上のように、本発明の情報システム、制御方法およびそのプログラムによれば、情報端末装置が位置情報端末から緊急コール要請を受けた時に、情報端末装置の画面上に位置情報端末の固有の情報である所持者の登録氏名や現在位置等を表示した異常報知画面を表示し、警報音を鳴らすので、誰がどのようなことで連絡をしてきたかを家人はすぐに認識することができる。
【００１３】
また、情報端末装置が位置情報端末から緊急コール要請を受けた後に、情報端末装置から外部電話に電話発呼を行った時、位置情報端末の固有情報を送信し、繰り返し電話で出力するので、電話を受けた側はどこから何のためにかかってきた電話であるかを、すぐに認識することができ、その後的確な行動をとることができる。また、情報端末装置から電話発呼を行う前に、情報端末装置の画面上に電話発呼の画面が表示され、その画面を閉じると電話発呼を中断することができるので、誤動作の時にはすぐに電話発呼の画面を閉じることによって電話発呼を止めることができ、緊急コール検知時の電話発呼の精度を向上させることができる。
【００１４】
さらに、位置情報端末の電源が切られると情報端末装置に異常通知を送信することによって、位置情報端末の電池切れを早急に知らせることができ、緊急コール時の異常通報に対する利便性、正確性、信頼性を向上させることができるようにしたものである。
【００１５】
以上のような構成とすることにより、本発明によれば、情報端末装置が位置情報端末から緊急コール要請を受けた時に、位置情報端末の固有の情報を表示した異常報知画面を表示し、警報音を鳴らすことができ、また、情報端末装置が電話発呼を行う時に、画面上に
表示を行い、その表示で電話発呼を中止することができ、電話発呼を行った時は、位置情報端末の固有情報を送信し、繰り返し電話で出力することによって、電話を受けた側はどこから何のためにかかってきた電話であるかを、すぐに認識することができ、その後的確な行動をとることによって、緊急コール要請時の電話発呼に対する利便性、正確性、信頼性を高めることができ、システムの信頼性を確実に向上させることができるという効果を有するものである。
【発明を実施するための最良の形態】
【００１６】
第１の発明は、携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなり、前記位置情報端末から固有の情報が送信されると、前記情報処理サーバ装置を介して前記情報端末装置に送信され、前記情報端末装置の画面上に前記位置情報端末の固有の情報である所持者の登録氏名や現在位置等を表示することを特徴とする情報システムを提供するものである。
【００１７】
これによって、本発明は、情報端末装置が位置情報端末から緊急コール要請を受けた時に、情報端末装置の画面上に位置情報端末の固有の情報を表示した異常報知画面を表示するので、誰がどのようなことで連絡をしてきたかを家人はすぐに認識することができ、その後的確な行動をとることができ、緊急コール検出時の表示に対する利便性、正確性、信頼性を高めることができるものである。
【００１８】
第２の発明は、携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなり、前記位置情報端末から固有の情報が送信されると、前記情報処理サーバ装置を介して前記情報端末装置に送信され、前記情報端末装置の画面上に前記位置情報端末の固有の情報である所持者の登録氏名や現在位置等を表示し、前記情報端末装置から警報音を発することを特徴とする情報システムを提供するものである。
【００１９】
これによって、本発明は、情報端末装置が位置情報端末から緊急コール要請を受けた時に、情報端末装置の画面上に位置情報端末の固有の情報を表示した異常報知画面を表示し、警報音を発するので、誰がどのようなことで連絡をしてきたかを家人はすぐに認識することができ、その後的確な行動をとることができ、緊急コール検出時の表示に対する利便性、正確性、信頼性を高めることができるものである。
【００２０】
第３の発明は、携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなり、前記位置情報端末から固有の情報が送信されると、前記情報処理サーバ装置を介して前記情報端末装置に送信され、前記情報端末装置の画面上に前記位置情報端末の固有の情報である所持者の登録氏名や現在位置等を表示し、前記情報端末装置から指定された外部通信装置に電話発呼を行い、前記位置情報端末の固有の情報を音声で出力することを特徴とする情報システを提供するものである。
【００２１】
これによって、本発明は、情報端末装置が位置情報端末から緊急コール要請を受けた後に、情報端末装置から外部電話に電話発呼を行った時、位置情報端末の固有情報を送信し、電話で出力するので、電話を受けた側はどこから何のためにかかってきた電話であるかを、すぐに認識することができ、その後的確な行動をとることができ、緊急コール検出時の電話発呼に対する利便性、正確性、信頼性を高めることができるものである。
【００２２】
第４の発明は、携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなり、前記位置情報端末から固有の情報が送信されると、前記情報処理サーバ装置を介して前記情報端末装置に送信され、前記情報端末装置の画面上に前記位置情報端末の固有の情報である所持者の登録氏名や現在位置等を表示し、前記情報端末装置から指定された外部通信装置に電話発呼を行い、前記情報端末装置の画面の表示を閉じると前記電話発呼を停止することを特徴とする情報システムを提供するものである。
【００２３】
これによって、本発明は、情報端末装置から電話発呼を行う時に、情報端末装置の画面上に電話発呼の画面が表示され、その画面を閉じると電話発呼を中断することができるので、誤動作の時にはすぐに電話発呼の画面を閉じることによって電話発呼を止めることができ、緊急コール検知時の電話発呼に対する利便性、正確性、信頼性を高めることができるものである。
【００２４】
第５の発明は、携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなり、前記位置情報端末の電源が切られると、前記位置情報端末から固有の情報が前記情報処理サーバ装置を介して前記情報端末装置に送信され、前記情報端末装置の画面上に前記位置情報端末の固有の情報である所持者の登録氏名や現在位置等を表示し、前記情報端末装置から警報音を発することを特徴とする情報システムを提供するものである。
【００２５】
これによって、本発明は、位置情報端末の電源が切られると情報端末装置に異常通知を送信することによって、位置情報端末の電池切れを早急に知らせることができ、電源切り時の異常通報に対する利便性、正確性、信頼性を向上させることができるものである。
【００２６】
第６の発明は、携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなる情報システムの制御方法において、前記位置情報端末から固有の情報を送信するステップと、前記位置情報端末からの情報が前記情報処理サーバ装置を介して前記情報端末装置に送信されるステップと、前記情報端末装置の画面上に前記位置情報端末の固有の情報である所持者の登録氏名や現在位置等を表示するステップとを備えてなる制御方法を提供するものである。
【００２７】
これによって、本発明は、情報端末装置が位置情報端末から緊急コール要請を受けた時に、情報端末装置の画面上に位置情報端末の固有の情報を表示した異常報知画面を表示するので、誰がどのようなことで連絡をしてきたかを家人はすぐに認識することができ、その後的確な行動をとることができ、緊急コール検出時の表示に対する利便性、正確性、信頼性を高めることができるものである。
【００２８】
第７の発明は、携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなる情報システムの制御方法において、前記位置情報端末から固有の情報を送信するステップと、前記位置情報端末からの情報が前記情報処理サーバ装置を介して前記情報端末装置に送信されるステップと、前記情報端末装置の画面上に前記位置情報端末の固有の情報である所持者の登録氏名や現在位置等を表示するステップと、前記情報端末装置から
警報音を発するステップとを備えてなる制御方法を提供するものである。
【００２９】
これによって、本発明は、情報端末装置が位置情報端末から緊急コール要請を受けた時に、情報端末装置の画面上に位置情報端末の固有の情報を表示した異常報知画面を表示し、警報音を発するので、誰がどのようなことで連絡をしてきたかを家人はすぐに認識することができ、その後的確な行動をとることができ、緊急コール検出時の表示に対する利便性、正確性、信頼性を高めることができるものである。
【００３０】
第８の発明は、携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなる情報システムの制御方法において、前記位置情報端末から固有の情報を送信するステップと、前記位置情報端末からの情報が前記情報処理サーバ装置を介して前記情報端末装置に送信されるステップと、前記情報端末装置の画面上に前記位置情報端末の固有の情報である所持者の登録氏名や現在位置等を表示するステップと、前記情報端末装置から指定された外部通信装置に電話発呼を行い、前記位置情報端末の固有の情報を音声で出力するステップとを備えてなる制御方法を提供するものである。
【００３１】
これによって、本発明は、情報端末装置が位置情報端末から緊急コール要請を受けた後に、情報端末装置から外部電話に電話発呼を行った時、位置情報端末の固有情報を送信し、電話で出力するので、電話を受けた側はどこから何のためにかかってきた電話であるかを、すぐに認識することができ、その後的確な行動をとることができ、緊急コール検出時の電話発呼に対する利便性、正確性、信頼性を高めることができるものである。
【００３２】
第９の発明は、携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなる情報システムの制御方法において、前記位置情報端末から固有の情報を送信するステップと、前記位置情報端末からの情報が前記情報処理サーバ装置を介して前記情報端末装置に送信されるステップと、前記情報端末装置の画面上に前記位置情報端末の固有の情報である所持者の登録氏名や現在位置等を表示するステップと、前記情報端末装置から指定された外部通信装置に電話発呼を行うステップと、前記情報端末装置の画面の表示を閉じると前記電話発呼を停止するステップとを備えてなる制御方法を提供するものである。
【００３３】
これによって、本発明は、情報端末装置から電話発呼を行う時に、情報端末装置の画面上に電話発呼の画面が表示され、その画面を閉じると電話発呼を中断することができるので、誤動作の時にはすぐに電話発呼の画面を閉じることによって電話発呼を止めることができ、緊急コール検知時の電話発呼に対する利便性、正確性、信頼性を高めることができるものである。
【００３４】
第１０の発明は、携帯している人の位置を特定する位置情報端末と、前記位置情報端末との間で位置情報端末が保持している情報を送受信する情報処理サーバ装置と、前記位置情報端末から受信した固有の情報に基づいて動作を行う情報処理部を備えた情報端末装置とからなる情報システムの制御方法において、前記位置情報端末の電源が切られるステップと、前記位置情報端末から固有の情報が前記情報処理サーバ装置を介して前記情報端末装置に送信されるステップと、前記情報端末装置の画面上に前記位置情報端末の固有の情報である所持者の登録氏名や現在位置等を表示するステップと、前記情報端末装置から警報音を発するステップとを備えてなる制御方法を提供するものである。
【００３５】
これによって、本発明は、位置情報端末の電源が切られると情報端末装置に異常通知を送信することによって、位置情報端末の電池切れを早急に知らせることができ、電源切り時の異常通報に対する利便性、正確性、信頼性を向上させることができるものである。
【００３６】
第１１の発明は、第１〜５の発明の情報システムの少なくとも一部をコンピュータに実行させるためのプログラムを提供するものである。
【００３７】
そして、プログラムであるので、電気・情報機器、コンピュータ、サーバ等のハードリソースを協働させて本発明の情報システムの少なくとも一部を容易に実現することができる。また記録媒体に記録したり通信回線を用いてプログラムを配信したりすることでプログラムの配布・更新やそのインストール作業が簡単にできる。
【００３８】
以下、本発明の実施の形態について、図面を参照しながら説明する。なお、この実施の形態によって本発明が限定されるものではない。
【００３９】
（実施の形態１）
図１は、本発明の第１の実施の形態における情報システムのシステム全体を概略的に示す構成説明図を示すものである。以下に本実施の形態における構成を説明する。
【００４０】
図１に示す本実施の形態の情報システムは、各家庭１００に設置された機器１６を無線通信によって接続した情報端末装置１と、情報端末装置１を外部と接続するための回線接続手段４、外部のネットワークである宅外回線網（インターネット回線網）１２、携帯電話等の外部の通信装置１５、情報処理サーバ装置１０、情報端末装置１に登録されている位置情報端末１１（複数であるが図１には１つしか書かない）とから成る。この時の情報端末装置１の通信回線網は情報通信回線網であるデータ通信回線網１３、音声通信回線網１４とから成っている。
【００４１】
本情報システムは、位置情報端末１１と情報端末装置１とがネットワーク回線により接続されており、位置情報端末１１からの情報によって、情報端末装置１がさまざまな動作をすることができる。
【００４２】
まず、位置情報端末１１から緊急コールが発せられると、情報処理サーバ装置１０、宅外回線網１２、およびデータ通信回線網１３を経由して、情報端末装置１の画面上に異常報知画面等を表示することができる。この時の表示はどの位置情報端末１１からの緊急コールであるかを明示しているものであり、さらにどこの位置からの情報であるかも示すことができるものである。
【００４３】
位置情報端末１１はＧＰＳが内蔵されており、このＧＰＳと衛星および基地局との通信により現在位置を把握することができるものである。
【００４４】
具体的には、位置情報端末１１からの情報の送受信は、ブロードバンドであるＡＤＳＬ回線網を用いて回線接続手段４であるモデム、スプリッター等を介してＩＳＰ（インターネットサービスプロバイダ）に接続し、そこから宅外回線網（ＷＥＢ）１２を通じて情報処理サーバ装置１０にＴＣＰ／ＩＰ接続し、位置情報端末装置１１に接続することができるものである。また、位置情報端末１１からの情報の送受信の接続回線網はＦＴＴＨのような光ファイバー網でもよい。
【００４５】
まず、位置情報端末１１を所持していた人が、外で気分が悪くなり緊急コールボタンを押下すると、その情報が情報処理サーバ装置１０、宅外回線網１２、およびデータ通信回線網１３を経由して、情報端末装置１に送信され、情報端末装１置の画面上に異常報知画
面等を表示することができる。この時の画面の表示はどの位置情報端末１１がいつ緊急コールボタンを押されたかを明示しているものである。さらにこの画面からその位置情報端末１１が現在どこの位置に存在しているかの情報も示すことができる。
【００４６】
例えば、位置情報端末１１を所持していた人が、外で気分が悪くなり、１９時３２分に位置情報端末１１から緊急コール要請をすると、その緊急情報が情報処理サーバ装置１０、宅外回線網１２、およびデータ通信回線網１３を経由して、情報端末装置１に送信され、情報端末装置１の画面上に異常報知画面等を表示することができる。
【００４７】
この時の画面の表示には１９時３２分に誰の位置情報端末１１が緊急コールボタンを押されたかを明示しているので、すぐに発信者に連絡したり、あるいは位置情報を確認することができ、的確に次の行動を起こすことができる。
【００４８】
次に本実施の形態の情報端末装置について図面を参照しながら説明する。図２は本発明の第１の実施の形態で用いる情報端末装置の機能ブロック図を示すものである。以下に本実施の形態における構成を説明する。
【００４９】
図２に示す本実施の形態の情報端末装置１は、データ通信処理部２３、音声通信処理部２４、情報処理部２５、情報収集部２６、情報送信部２７、情報送受信部２８、報知部３０、画像表示部３１、音声合成部３２とから構成されている。
【００５０】
本情報端末装置１は、各機器１６等と無線通信２９によって接続されており、各機器１６からの情報収集を情報収集部２６によって行い、各機器へのデータ送信を情報送信部２７によって行う。
【００５１】
本情報端末装置１は、位置情報端末１１と宅外回線網（ネットワーク回線）１２により接続されており、位置情報端末１１からの情報によって、情報端末装置１がさまざまな動作をすることができる。
【００５２】
まず、位置情報端末１１から緊急コールが発せられると、情報処理サーバ装置１０、宅外回線網２２、およびデータ通信回線網２０、データ通信処理部２３を経由して、情報端末装置の画像表示部において異常報知画面等を表示することができる。この時の表示はどの位置情報端末からの緊急コールであるかを明示しているものであり、さらにどこの位置からの情報であるかも示すことができるものである。
【００５３】
また、位置情報端末１１から緊急コールが発せられると、情報端末装置１の報知部３０から位置情報端末１１の緊急コール警報の固有音を発することによって周囲の家人にすぐに知らせることができる。
【００５４】
さらに、位置情報端末１１からの情報によって、情報端末装置１から携帯電話等の外部の通信装置１５に電話をかけることができる。位置情報端末１１から情報端末装置１に緊急コール要請があると、情報端末装置１の設定によって画面上に異常報知画面を表示し、音声合成部で位置情報端末１の固有情報を作成し、音声通信処理部２４、音声通信回線網２１、回線接続手段３および宅外回線網１２を経由して携帯電話等の外部の通信装置１５に連絡することができるものである。
【００５５】
次に、本実施の形態の制御方法について図面を参照しながら説明する。図３は同実施の形態に係るシステムの処理手順を示すフローチャートを示すものである。以下に本実施の形態におけるフローを説明する。
【００５６】
まず、情報端末装置１に登録されている位置情報端末１１を持って家人が外に出る（ステップＳ１）。
【００５７】
その位置情報端末１１を所持していた人が、外で気分が急に悪くなり緊急コールボタンを押下すると（ステップＳ２）、その緊急情報が情報処理サーバ装置１０に送信される（ステップＳ３）。
【００５８】
情報処理サーバ装置１０では、その位置情報端末の固有情報とともに緊急情報として宅外回線網１２、およびデータ通信回線網１３を経由して、情報端末装置１に送信する (ステップＳ４)。
【００５９】
情報端末装置１では、その緊急情報を受信した(ステップＳ５)後、情報端末装置１の画面上に異常報知画面等を表示することができる（ステップＳ６）。
【００６０】
この時の画面の表示はどの位置情報端末１１がいつ緊急コールボタンを押されたかを明示しているものである。さらにこの画面からその位置情報端末が現在どこの位置に存在しているかの情報を示すこともできる。
【００６１】
緊急コールボタンを押された時間は、緊急コールボタンから情報処理サーバ装置に情報が送信された時に付随してもいいし、または情報処理サーバ装置から情報端末装置に情報が送信された時の情報端末装置の時刻を表示してもいい。
【００６２】
例えば、位置情報端末１１を所持していた家人の山田花子さんが、外で気分が悪くなり、１９時３０分に位置情報端末１１から緊急コール要請をすると、その緊急情報が情報処理サーバ装置１０、宅外回線網１２、およびデータ通信回線網１３を経由して、情報端末装置１に送信され、情報端末装置１の画面上に図４に示すような「端末２  山田花子」という固有情報を含んだ異常報知画面を表示することができる。
【００６３】
この端末固有の情報は、使用者が位置情報端末から入力して、情報処理サーバ装置に登録されたものであり、位置情報端末から緊急コールボタンが押下されたという情報が情報処理サーバ装置に送信された時、この登録されている位置情報端末の固有情報と一緒に情報処理サーバ装置から情報端末装置に情報が送信されて情報端末装置の画面上に表示されるものである。
【００６４】
この時の画面の表示には１９時３０分に山田花子さんの位置情報端末で緊急コールボタンが押されたということが明示されているので、家人はすぐに発信者に連絡したり、あるいは位置情報を確認することができ、的確に次の行動を起こすことができる。
【００６５】
以上のような構成・手順とすることにより、本発明の実施の形態によれば、情報端末装置が位置情報端末から緊急コール要請を受けた時に、情報端末装置の画面上に位置情報端末の固有の情報を表示した異常報知画面を表示するので、誰がどのようなことで連絡をしてきたかを家人はすぐに認識することができ、その後的確な行動をとることができ、緊急コール検出時の表示に対する利便性、正確性、信頼性を高めることができ、システムの信頼性を確実に向上させることができるものである。
【００６６】
（実施の形態２）
実施の形態２の情報システムについて説明する。以下に本実施の形態における構成を図１と同様に説明する。実施の形態１と同じについては説明を省略する。
【００６７】
情報端末装置１から位置情報端末１１の緊急コールを受信したときに警報の固有音を発
することによって周囲の家人にすぐに知らせることができる。
【００６８】
また、位置情報端末１１から緊急コール要請があった情報端末装置１は、情報端末装置１の画面上に異常報知画面等を表示した後、緊急コール警報の固有音を鳴らして周囲の家人に知らせることができる。
【００６９】
例えば、位置情報端末１１を所持していた人が、外で気分が悪くなり、７時１５分に位置情報端末１１から緊急コール要請をすると、その緊急情報が情報処理サーバ装置１０、宅外回線網１２、およびデータ通信回線網１３を経由して、情報端末装置１に送信され、情報端末装置１の画面上に異常報知画面等を表示することができる。この時の画面の表示には７時１５分にだれの位置情報端末が緊急コールボタンを押されたかを明示している。
【００７０】
また、情報端末装置１の画面上に異常報知画面等を表示した後、緊急コール警報が押下された時の固有音を１分程度鳴らして周囲の家人に知らせることによって、家人は情報端末装置１のそばにいなくてもすぐに位置情報端末１１からの緊急コール警報を認識することができ、すぐに発信者に連絡したり、あるいは位置情報を確認することができ、的確に次の行動を起こすことができる。
【００７１】
次に、本実施の形態の制御方法について図面を参照しながら説明する。図５は同実施の形態に係るシステムの処理手順を示すフローチャートを示すものである。以下に本実施の形態におけるフローを説明する。
【００７２】
まず、情報端末装置１に登録されている位置情報端末１１を持って家人が外に出る（ステップＳ１１）。
【００７３】
その位置情報端末１１を所持していた人が、外で気分が急に悪くなり緊急コールボタンを押下すると（ステップＳ１２）、その緊急情報が情報処理サーバ装置１０に送信される（ステップＳ１３）。情報処理サーバ装置１０ではその位置情報端末の固有情報とともに緊急情報として宅外回線網１２、およびデータ通信回線網１３を経由して、情報端末装置１に送信する(ステップＳ１４)。
【００７４】
情報端末装置１では、その緊急情報を受信した(ステップＳ１５)後、情報端末装置１の画面上に異常報知画面等を表示することができる（ステップＳ１６）。この時の画面の表示はどの位置情報端末がいつ緊急コールボタンを押されたかを明示しているものである。また、情報端末装置から位置情報端末の緊急コールの固有警報音が吹鳴される（ステップＳ１７）。
【００７５】
これによって、家人が情報端末装置１のそばにいなくても、位置情報端末１１の緊急コール警報が発生していることを認識することができる。さらにこの画面からその位置情報端末が現在どこの位置に存在しているかの情報を示すこともできる。
【００７６】
例えば、位置情報端末１１を所持していた家人の山田太郎さんが、外で気分が悪くなり、１３時４７分に位置情報端末１１から緊急コール要請をすると、その緊急情報が情報処理サーバ装置１０、宅外回線網１２、およびデータ通信回線網１４を経由して、情報端末装置１に送信され、情報端末装置１の画面上に図４と同じような固有情報を含んだ異常報知画面を表示することができる。この時の画面の表示には１３時４７分に山田太郎さんの位置情報端末１１で緊急コールボタンが押されたということが明示されている。
【００７７】
さらに情報端末装置１から位置情報端末１１の緊急コールの固有警報音が1分程度吹鳴されるので、家人は情報端末装置１のそばにいなくてもすぐに位置情報端末１１からの緊
急コールであることを認識し、すぐに発信者に連絡したり、あるいは位置情報を確認することができ、的確に次の行動を起こすことができる。
【００７８】
以上のような構成・手順とすることにより、本発明の実施の形態によれば、情報端末装置が位置情報端末から緊急コール要請を受けた時に、情報端末装置の画面上に位置情報端末の固有の情報を表示した異常報知画面を表示し、さらに情報端末装置から位置情報端末の緊急コール固有の警報音を吹鳴するので、誰がどのようなことで連絡をしてきたかを家人はすぐに認識することができ、その後的確な行動をとることができ、緊急コール検出時の表示に対する利便性、正確性、信頼性を高めることができ、システムの信頼性を確実に向上させることができるものである。
【００７９】
（実施の形態３）
実施の形態３の情報システムについて説明する。以下に本実施の形態における構成を図１と同様に説明する。実施の形態１と同じについては説明を省略する。
【００８０】
情報端末装置１から位置情報端末１１の緊急コールを受信したときに警報の固有音を発することによって周囲の家人にすぐに知らせることができる。さらに、位置情報端末１１からの情報によって、情報端末装置１から設定された緊急通報先の携帯電話等の外部の通信装置に電話をかけることができる。位置情報端末から情報端末装置に緊急コール要請があると、情報端末装置の設定によって画面上に異常報知画面を表示し、音声通信回線網、回線接続手段および宅外回線網を経由して指定された携帯電話等の外部の通信装置に連絡することができるものである。
【００８１】
まず、位置情報端末１１を所持していた人が、外で気分が悪くなり緊急コールボタンを押下すると、その情報が情報処理サーバ装置１０、宅外回線網１２、およびデータ通信回線網１３を経由して、情報端末装置１に送信され、情報端末装置１の画面上に異常報知画面等を表示することができる。この時の画面の表示はどの位置情報端末がいつ緊急コールボタンを押されたかを明示しているものである。
【００８２】
どの位置情報端末１１かという情報は、位置情報端末１１の名称を設定した時にその名称、すなわち固有の情報を情報処理サーバ装置１０に送信することによって、情報処理サーバ装置１０で保存しておき、緊急コールボタンが押下された時に、その位置情報端末１１の固有の情報を情報処理サーバ装置１０から情報端末装置１に送信し、それを画面上に表示することができるものである。緊急コールボタンが押下された時刻は、位置情報端末１１の固有の情報を情報処理サーバ装置１０から情報端末装置１に送信する時に、時刻の情報も一緒に送信してもいいし、あるいは、情報端末装置１が位置情報端末１１の固有の情報を情報処理サーバ装置１０から受信した時刻を表示してもいい。
【００８３】
さらにこの画面からその位置情報端末が現在どこの位置に存在しているかの情報も示すことができる。
【００８４】
また、位置情報端末１１から緊急コール要請があった情報端末装置１は、情報端末装置の画面上に異常報知画面等を表示した後、緊急コール警報の固有音を鳴らして周囲の家人に知らせることもできる。さらに、情報端末装置１から設定された緊急通報先の携帯電話等の外部の通信装置１５に音声通信回線網１４を使用して外部電話をかけることによって家にいない外部の人に知らせることもできる。
【００８５】
例えば、位置情報端末１１を所持していた人が、外で気分が悪くなり、１０時２１分に位置情報端末１１から緊急コール要請をすると、その緊急情報が情報処理サーバ装置１０、宅外回線網１２、およびデータ通信回線網１３を経由して、情報端末装置１に送信され
、情報端末装置１の画面上に異常報知画面等を表示することができる。この時の画面の表示には１０時２１分にだれの位置情報端末が緊急コールボタンを押されたかを明示している。
【００８６】
また、情報端末装置１の画面上に異常報知画面等を表示した後、緊急コール警報が押下された時の固有音を1分程度鳴らして周囲の家人に知らせることもできる。
【００８７】
さらに、情報端末装置１から指定された緊急通報先の携帯電話等の外部の通信装置１５に電話をかけて家にいない外部の人に知らせることもできる。
【００８８】
この時、緊急通報先の携帯電話１５に外線電話がかかってきて通報先で電話をとると、通報先の電話には情報端末装置１の固有情報を含んだ、固有の音声メッセージとして「位置情報確認サービスです。山田花子さんの位置情報端末から緊急コールがありました。現在位置を確認するか、または発信者に連絡して下さい」等の音声ガイダンスが最長３分、繰り返して流される。
【００８９】
この位置情報端末の固有情報を含んだ音声メッセージを出力することによって、外部電話先の人はすぐに山田花子さんに連絡したり、あるいは位置情報を確認することができ、的確に次の行動を起こすことができる。
【００９０】
次に、本実施の形態の制御方法について図面を参照しながら説明する。図６は同実施の形態に係るシステムの処理手順を示すものである。以下に本実施の形態におけるフローを説明する。
【００９１】
まず、所持している人体の位置を検知することができる位置情報端末１１を情報端末装置１に登録する。登録した後、情報端末装置１に登録されている位置情報端末１１を持って家人が外に出る（ステップＳ２１）。
【００９２】
その位置情報端末１１を所持していた人が、外で気分が急に悪くなり緊急コールボタンを押下すると（ステップＳ２２）、その緊急情報が情報処理サーバ装置１０に送信される（ステップＳ２３）。
【００９３】
情報処理サーバ装置１０では、その位置情報端末１１の固有情報とともに緊急情報として宅外回線網１２、およびデータ通信回線網１３を経由して、情報端末装置１に送信する
(ステップＳ２４)。
【００９４】
情報端末装置１では、その緊急情報を受信した(ステップＳ２５)後、情報端末装置１の画面上に位置情報端末１１の固有情報を含めて異常報知画面等を表示することができる（ステップＳ２６）。
【００９５】
この時の画面の表示はどの位置情報端末１１がいつ緊急コールボタンを押されたかの固有情報を明示しているものである。
【００９６】
次に、情報端末装置１に登録されている緊急通報先に音声通信回線網１４を介して携帯電話等１５に緊急連絡をする（ステップＳ２７）。通報先の電話に人が出ると、位置情報端末１１の固有情報を含んだ、固有の音声メッセージとして例えば「位置情報確認サービスです。山田花子さんの位置情報端末から緊急コールがありました。現在位置を確認するか、または発信者に連絡して下さい。」等の音声ガイダンスが最長３分、繰り返し流される（ステップＳ２８）。
【００９７】
例えば、位置情報端末１１を所持していた家人の佐藤一郎さんが、外で気分が悪くなり、１５時５７分に位置情報端末１１から緊急コール要請をすると、その緊急情報が情報処理サーバ装置１０、宅外回線網１２、およびデータ通信回線網１３を経由して、情報端末装置１に送信され、情報端末装置１の画面上に図４と同じような固有情報を含んだ異常報知画面を表示することができる。この時の画面の表示には１５時５７分に佐藤一郎さんの位置情報端末で緊急コールボタンが押されたということが明示されている。
【００９８】
さらに、情報端末装置１から登録されている緊急通報先の携帯電話等の外部の通信装置１５に電話をかけて家にいない外部の人に知らせることもできる。この時、緊急通報先に外線電話がかかってきて通報先で電話をとると、通報先の電話には情報端末装置１の固有情報を含んだ、固有の音声メッセージとして「位置情報確認サービスです。佐藤一郎さんの位置情報端末から緊急コールがありました。現在位置を確認するか、または発信者に連絡して下さい」等の音声ガイダンスが最長３分、繰り返して流される。
【００９９】
この位置情報端末の固有情報を含んだ音声メッセージを出力することによって、外部電話先の人はすぐに佐藤一郎さんに連絡したり、あるいは位置情報を確認することができ、的確に次の行動を起こすことができる。
【０１００】
以上のような構成・手順とすることにより、本発明の実施の形態によれば、情報端末装置１が位置情報端末１１から緊急コール要請を受けた時に、情報端末装置１の画面上に位置情報端末１１の固有の情報を表示した異常報知画面を表示し、さらに情報端末装置１が位置情報端末１１から緊急コール要請を受けた後に、情報端末装置１から外部電話に電話発呼を行った時、位置情報端末１１の固有情報を送信し、繰り返し電話で出力するので、電話を受けた側はどこから何のためにかかってきた電話であるかを、すぐに認識することができ、その後的確な行動をとることができ、位置情報端末１１からの緊急コール検出時の電話発呼に対する利便性、正確性、信頼性を高めることができ、システムの信頼性を確実に向上させることができるものである。
【０１０１】
（実施の形態４）
実施の形態４の情報システムについて説明する。以下に本実施の形態における構成を図１と同様に説明する。実施の形態１と同じについては説明を省略する。
【０１０２】
位置情報端末１１からの情報によって、情報端末装置１から設定された緊急通報先の携帯電話等の外部の通信装置１５に電話をかけることができる。位置情報端末１１から情報端末装置１に緊急コール要請があると、情報端末装置１の設定によって画面上に異常報知画面を表示し、音声通信回線網１４、回線接続手段４および宅外回線網１２を経由して指定された携帯電話等の外部の通信装置１５に連絡することができるものである。さらに、情報端末装置１の画面上の異常報知画面を閉じると、電話発呼を中断することができる。
【０１０３】
まず、位置情報端末１１を所持していた人が、外で気分が悪くなり緊急コールボタンを押下すると、その情報が情報処理サーバ装置１０、宅外回線網１２、およびデータ通信回線網１４を経由して、情報端末装置１に送信され、情報端末装置１の画面上に異常報知画面等を表示することができる。
【０１０４】
この時の画面の表示はどの位置情報端末１１がいつ緊急コールボタンを押されたかを明示しているものである。さらにこの画面からその位置情報端末１１が現在どこの位置に存在しているかの情報も示すことができる。
【０１０５】
また、位置情報端末１１から緊急コール要請があった情報端末装置１は、情報端末装置１の画面上に異常報知画面等を表示した後、情報端末装置１から設定された緊急通報先の
携帯電話等の外部の通信装置１５に電話をかけて家にいない外部の人に知らせることもできる。さらに、情報端末装置１の画面上の異常報知画面を閉じると、電話発呼を中断することができる。
【０１０６】
例えば、位置情報端末１１を所持していた人が、外で気分が悪くなり、６時０３分に位置情報端末１１から緊急コール要請をすると、その緊急情報が情報処理サーバ装置１０、宅外回線網１２、およびデータ通信回線網１３を経由して、情報端末装置１に送信され、情報端末装置１の画面上に異常報知画面等を表示することができる。この時の画面の表示には６時０３分にだれの位置情報端末１１が緊急コールボタンを押されたかを明示している。
【０１０７】
また、情報端末装置１の画面上に異常報知画面等を表示した後、緊急コール警報が押下された時の固有音を1分程度鳴らして周囲の家人に知らせることもできる。さらに、情報端末装置１から指定された緊急通報先の携帯電話等の外部の通信装置１５に電話をかけて家にいない外部の人に知らせることもできる。
【０１０８】
この時、緊急通報先の携帯電話に外線電話がかかってきて通報先で電話をとると、通報先の電話には情報端末装置１の固有情報を含んだ、固有の音声メッセージとして「位置情報確認サービスです。山田花子さんの位置情報端末から緊急コールがありました。現在位置を確認するか、または発信者に連絡して下さい」等の音声ガイダンスが最長３分、繰り返して流される。
【０１０９】
さらに、情報端末装置１の画面上の異常報知画面を閉じると、電話発呼を中断することができる。従って、誤動作等による電話発呼を防止することができる。
【０１１０】
次に、本実施の形態の制御方法について図面を参照しながら説明する。図７は同実施の形態に係るシステムの処理手順を示すものである。以下に本実施の形態におけるフローを説明する。
【０１１１】
まず、所持している人体の位置を検知することができる位置情報端末１１を情報端末装置１に登録する。
【０１１２】
登録した後、情報端末装置１に登録されている位置情報端末１１を持って家人が外に出る。その位置情報端末１１を所持していた人が、外で気分が急に悪くなり緊急コールボタンを押下すると（ステップＳ３１）、その緊急情報が情報処理サーバ装置１０に送信される（ステップＳ３２）。
【０１１３】
情報処理サーバ装置１０ではその位置情報端末１１の固有情報とともに緊急情報として宅外回線網１２、およびデータ通信回線網１３を経由して、情報端末装置１に送信する。
【０１１４】
情報端末装置１では、その緊急情報を受信した(ステップＳ３３)後、情報端末装置の画面上に位置情報端末１１の固有情報を含めて異常報知画面等を表示することができる（ステップＳ３４）。この時の画面の表示はどの位置情報端末１１がいつ緊急コールボタンを押されたかの固有情報を明示しているものである。
【０１１５】
次に、情報端末装置１に登録されている緊急通報先に音声通信回線網１４を介して携帯電話等に緊急連絡をする（ステップＳ３５）。通報先の電話に人が出ると、位置情報端末の固有情報を含んだ、固有の音声合成メッセージとして例えば「位置情報確認サービスです。田中太郎さんの位置情報端末から緊急コールがありました。現在位置を確認するか、または発信者に連絡して下さい。」等の音声ガイダンスが最長３分、繰り返し流される（
ステップＳ３６）。この時、情報端末装置の画面上の電話発呼の画面を閉じると（ステップＳ３７）、電話発呼を中断することができる（ステップＳ３８）。
【０１１６】
例えば、位置情報端末１１を所持していた家人の山田花子さんが、外で気分が悪くなり、２３時１２分に位置情報端末１１から緊急コール要請をすると、その緊急情報が情報処理サーバ装置１０、宅外回線網１２、およびデータ通信回線網１３を経由して、情報端末装置１に送信され、情報端末装置１３の画面上に図４と同じような固有情報を含んだ異常報知画面を表示することができる。この時の画面の表示には２３時１２分に山田花子さんの位置情報端末１１で緊急コールボタンが押されたということが明示されている。
【０１１７】
さらに、情報端末装置１から登録されている緊急通報先の携帯電話等の外部の通信装置１５に電話をかけて家にいない外部の人に知らせることもできる。この時、緊急通報先に外線電話がかかってきて通報先で電話をとると、通報先の電話には情報端末装置１の固有情報を含んだ、固有の音声メッセージとして「位置情報確認サービスです。山田花子さんの位置情報端末から緊急コールがありました。現在位置を確認するか、または発信者に連絡して下さい。」等の音声ガイダンスが最長３分、繰り返して流される。
【０１１８】
この時、図４に示すような情報端末装置の画面上の異常報知画面の「確認」を押下してこの画面を閉じると、電話発呼を中断することができる。
【０１１９】
以上のような構成・手順とすることにより、本発明の実施の形態によれば、情報端末装置から電話発呼を行う時に、情報端末装置の画面上に電話発呼の画面が表示され、その画面を閉じると電話発呼を中断することができるので、誤動作の時にはすぐに電話発呼の画面を閉じることによって電話発呼を止めることができ、緊急コール検知時の電話発呼に対する利便性、正確性、信頼性を高めることができ、システムの信頼性を確実に向上させることができるものである。
【０１２０】
（実施の形態５）
実施の形態５の情報システムについて説明する。以下に本実施の形態における構成を図１と同様に説明する。実施の形態１と同じについては説明を省略する。
【０１２１】
位置情報端末１１の電源が切れると、情報処理サーバ装置１０、宅外回線網１２、およびデータ通信回線網１３を経由して、情報端末装置１の画面上に現在の位置情報画面等を表示することができる。この時の表示はどの位置情報端末１１からの情報であるかを明示しているものであり、さらにどこの位置からの情報であるかも示すことができるものである。また、情報端末装置１から位置情報端末１１の電源切れ警報の固有音を発することによって周囲の家人にすぐに知らせることができる。
【０１２２】
次に、本実施の形態の制御方法について図面を参照しながら説明する。図８は同実施の形態に係るシステムの処理手順を示すものである。以下に本実施の形態におけるフローを説明する。
【０１２３】
まず、情報端末装置１に登録されている位置情報端末１１を持って家人が外に出る。その位置情報端末１１は電源が入っていた（ステップＳ４１）が、途中で電池が消耗し電源が切れたら、その電池切れ情報が情報処理サーバ装置に送信される（ステップＳ４２）。
【０１２４】
情報処理サーバ装置１０ではその位置情報端末１の固有情報とともに緊急情報として宅外回線網１２、およびデータ通信回線網１３を経由して、情報端末装置１に送信する。
【０１２５】
情報端末装置１ではその緊急情報を受信した(ステップＳ４３)後、情報端末装置１の画
面上に固有情報を含んだ位置情報画面等を表示することができる（ステップＳ４４）。この時の画面の表示はどの位置情報端末がどこで電池切れしたかを明示しているものである。この画面からその位置情報端末が現在どこの位置に存在しているかの情報がわかる。
【０１２６】
また、位置情報端末１１の電源が切れた時、情報端末装置１から位置情報端末１１の電源切れ警報の固有音を発することによって、周囲の家人にすぐに知らせることができる（ステップＳ４５）。
【０１２７】
こうすることによって、位置情報端末１１の電源が切れると情報端末装置１に異常通知を送信し、情報端末装置１の画面に固有情報を含んだ位置情報画面を表示し、また情報端末装置１から電池切れ固有の警報音を発することによって、位置情報端末１１の電池切れを早急に知らせることができ、電源切り時の異常通報に対する利便性、正確性、信頼性を高め、システムの信頼性を確実に向上させることができる。
【０１２８】
まず、位置情報端末１１を所持していた人が、外で位置情報端末１１の電源を入れていたが、途中で位置情報端末１１の電池が切れてしまうと、その情報が情報処理サーバ装置１０、宅外回線網１２、およびデータ通信回線網１３を経由して、情報端末装置１に送信され、情報端末装置の画面上に固有情報を含んだ位置情報画面等を表示することができる。この時の画面の表示はどの位置情報端末であるかを明示しているものである。この画面からその位置情報端末が現在どこの位置に存在しているかがわかる。
【０１２９】
また、情報端末装置から位置情報端末の電源切り警報の固有音を発することによって、情報端末装置のそばに家人がいなくても周囲の家人にすぐに知らせることができる。
【０１３０】
例えば、位置情報端末を所持していた人が、外で位置情報端末の電源を入れていたが、１７時２７分に位置情報端末の電池が切れてしまうと、その電池切れ情報が情報処理サーバ装置、宅外回線網、およびデータ通信回線網を経由して、情報端末装置に送信され、情報端末装置の画面上にその位置情報端末の位置情報画面等を表示することができる。この時の画面の表示によって１７時２７分にだれの位置情報端末がどこの位置で電池切れを起こしたかがわかる。
【０１３１】
また、情報端末装置の画面上に位置情報画面等を表示した後、情報端末装置から電池切れの固有音を1分程度鳴らして周囲の家人に知らせることによって、家人は情報端末装置のそばにいなくてもすぐに位置情報端末からの電池切れ警報を認識することができ、すぐに発信者に連絡したり、あるいは位置情報を確認することができ、的確に次の行動を起こすことができる。
【０１３２】
すなわち、本発明の実施の形態は、位置情報端末の電源が切れると情報端末装置に異常通知を送信し、情報端末装置の画面に固有情報を含んだ位置情報端末の位置情報画面を表示し、情報端末装置から位置情報端末の電源切りの固有の警報音を鳴らすことによって、位置情報端末の電池切れを早急に知らせることができ、電源切り時の異常通報に対する利便性、正確性、信頼性を向上させることができるものである。
【０１３３】
なお、今までの実施の形態ではブロードバンドのインターネット回線としてＡＤＳＬで説明したが、これに限らずあらゆる通信方式であってもよい。
【０１３４】
また、これらの情報端末装置１、情報処理サーバ装置の情報処理部で上記制御方法を行うためには、ＣＰＵコンピュータに実行させるためのプログラムを記録したことを特徴とするコンピュータ読み取り可能な独自のプログラムが必要である。本実施の形態で説明した手段は、ＣＰＵ（またはマイコン）、ＲＡＭ、ＲＯＭ、記憶・記録装置、Ｉ／Ｏなどを
備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【０１３５】
以上のように、本発明にかかる情報システム、制御方法、およびそのプログラムは、情報端末装置が位置情報端末から緊急コール要請を受けた時に、位置情報端末の固有の情報を表示した異常報知画面を表示し、警報音を鳴らすことができ、また、情報端末装置が電話発呼を行う時に、画面上に表示を行い、その表示で電話発呼を中止することができ、緊急コール要請時の電話発呼に対する利便性、正確性、信頼性を高めることができ、システムの信頼性を確実に向上させることができ、家庭内全てのネットワークシステムに対しても有用である。
【図面の簡単な説明】
【０１３６】
【図１】本発明の第１の実施の形態に係る情報システム全体を概略的に示す構成説明図
【図２】同実施の形態で用いる情報端末装置の機能ブロック図
【図３】同実施の形態に係るシステムの処理手順を示すフローチャート
【図４】同実施の形態に係る情報端末装置の表示画面を説明する図
【図５】第２の実施の形態に係るシステムの処理手順を示すフローチャート
【図６】本発明の第３の実施の形態に係るシステムの処理手順を示すフローチャート
【図７】本発明の第４の実施の形態に係るシステムの処理手順を示す図
【図８】本発明の第５の実施の形態に係るシステムの処理手順を示す図
【符号の説明】
【０１３７】
１  情報端末装置
１０  情報処理サーバ装置
１１  位置情報端末
１２  宅外回線網（通信ネットワーク回線網）
１３  データ通信回線網
１４  音声通信回線網
１５  通信装置（外部通信装置、携帯電話）
１６  機器
２３  データ通信処理部
２４  音声通信処理部
２５  情報処理部
２８  情報送受信部
３１  画像表示部
３２  音声合成部
【図１】
2007072826.tif 000003
【図２】
2007072826.tif 000004
【図３】
2007072826.tif 000005
【図４】
2007072826.tif 000006
【図５】
2007072826.tif 000007
【図６】
2007072826.tif 000008
【図７】
2007072826.tif 000009
【図８】
2007072826.tif 000010